(57)【要約】【課題】薬剤がこぼれ難い容器保持具およびクリップを提供する。【解決手段】容器保持具１００は、薬剤を収容した容器をルーバーの羽板１に取り付ける。容器保持具１００は、羽板１を挟みつける一対の挟持片１４、１５を一端に備え、羽板１の長手方向に沿って延びた第１ピン１２１とこの第１ピン１２１と直交する第２ピン１２２を有する十字ピン１２を他端に備えたクリップ１０と、このクリップ１０を羽板１が縦方向に延びた縦型ルーバーに取り付けた第１の使用状態で水平方向に延びる第２ピン１２２を回動可能に嵌合せしめるとともにクリップ１０を羽板１が横方向に延びた横型ルーバーに取り付けた第２の使用状態で水平方向に延びる第１ピン１２１を回動可能に嵌合せしめる嵌合軸受部２２を有して容器を保持したアダプター２０とを有する。【選択図】図１
2017137076.tif 000002
【特許請求の範囲】
【請求項１】
薬剤を収容した容器をルーバーの羽板に取り付ける容器保持具であって、
上記羽板に固定する固定部を一端に備え、上記羽板の長手方向に沿って延びた第１ピンとこの第１ピンと直交する第２ピンを有する十字ピンを他端に備えたクリップと、
このクリップを上記羽板が縦方向に延びた縦型ルーバーに取り付けた第１の使用状態で水平方向に延びる上記第２ピンを回動可能に嵌合せしめるとともに上記クリップを上記羽板が横方向に延びた横型ルーバーに取り付けた第２の使用状態で水平方向に延びる上記第１ピンを回動可能に嵌合せしめる嵌合軸受部を有して上記容器を保持したアダプターと、
を有する容器保持具。
【請求項２】
上記アダプターは、
上記第１の使用状態で上記第１ピンの上端に当接して上記第２ピンを中心とした当該アダプターの第１方向への回動を規制するとともに上記第２の使用状態で上記第２ピンの上端に当接して上記第１ピンを中心とした当該アダプターの上記第１方向への回動を規制する第１当接部と、
上記第１の使用状態で上記第１ピンの下端に当接して上記第２ピンを中心とした当該アダプターの上記第１方向と逆の第２方向への回動を規制するとともに上記第２の使用状態で上記第２ピンの下端に当接して上記第１ピンを中心とした当該アダプターの上記第２方向への回動を規制する第２当接部と、
を有する請求項１の容器保持具。
【請求項３】
上記第１当接部は、上記アダプターにより保持された上記容器の中心に沿った平らな壁であり、当該アダプターの上記第２方向への回動角度より上記第１方向への回動角度が小さくなるように当該アダプターの回動を規制する、
請求項２の容器保持具。
【請求項４】
上記アダプターは、上記容器のキャップを一体に備える、
請求項１乃至請求項３のいずれか１項の容器保持具。
【請求項５】
ルーバーの羽板に固定する固定部と、
この固定部と反対側に設けられ上記羽板の長手方向に沿って延びた第１ピンとこの第１ピンと直交する第２ピンを有する十字ピンと、を有し、
縦方向に延びた羽板に上記固定部を固定した第１の使用状態で水平方向に延びる上記第２ピンに薬剤を収容した容器を回動可能に取り付けるとともに横方向に延びた羽板に上記固定部を固定した第２の使用状態で水平方向に延びる上記第１ピンに上記容器を回動可能に取り付けるクリップ。
【発明の詳細な説明】
【技術分野】
【０００１】
本発明は、例えば、芳香剤や消臭剤などの薬剤を収容した容器をエアコン送風口のルーバーに取り付ける容器保持具、およびこの容器保持具のクリップに関する。
【背景技術】
【０００２】
従来、芳香剤の容器をエアコン送風口のルーバーに取り付けるタイプの車用芳香剤が知られている。ルーバーには、略垂直に設置されたものや上に向けて傾斜したものがあり、羽板が縦方向に延びた縦型ルーバーや羽板が横方向に延びた横型ルーバーがある。横型ルーバーは、羽板が上下に回動可能であるため、容器が傾いて芳香剤がこぼれる可能性がある。このため、容器の取り付け角度を自在に変更可能な車用芳香剤が知られている。
【先行技術文献】
【特許文献】
【０００３】
【特許文献１】特開２０１５−４４５３５号公報
【特許文献２】実用新案登録第３０２２９８１号公報
【発明の概要】
【発明が解決しようとする課題】
【０００４】
例えば、特許文献１のボールジョイントを用いて芳香剤の容器を回動自在に保持した場合、全ての方向に容器を傾けて設置することができるため、芳香剤がこぼれやすい角度に容器を保持することもできてしまう。
【０００５】
また、例えば、特許文献２の吊り下げ型のホルダーを用いて容器を保持した場合、ルーバーの角度や羽板の角度によらず容器を略垂直な姿勢にできるが、振動によって容器が大きく揺れた場合、芳香剤がこぼれる可能性がある。
【０００６】
本発明は、上記の点に鑑みてなされたもので、薬剤がこぼれ難い容器保持具およびクリップを提供することを目的とする。
【課題を解決するための手段】
【０００７】
本発明の容器保持具の一態様は、薬剤を収容した容器をルーバーの羽板に取り付ける容器保持具であって、羽板に固定する固定部を一端に備え、羽板の長手方向に沿って延びた第１ピンとこの第１ピンと直交する第２ピンを有する十字ピンを他端に備えたクリップと、このクリップを羽板が縦方向に延びた縦型ルーバーに取り付けた第１の使用状態で水平方向に延びる第２ピンを回動可能に嵌合せしめるとともにクリップを羽板が横方向に延びた横型ルーバーに取り付けた第２の使用状態で水平方向に延びる第１ピンを回動可能に嵌合せしめる嵌合軸受部を有して容器を保持したアダプターとを有する。
【０００８】
また、本発明のクリップの一態様は、ルーバーの羽板に固定する固定部と、この固定部と反対側に設けられ羽板の長手方向に沿って延びた第１ピンとこの第１ピンと直交する第２ピンを有する十字ピンと、を有し、縦方向に延びた羽板に固定部を固定した第１の使用状態で水平方向に延びる第２ピンに薬剤を収容した容器を回動可能に取り付けるとともに横方向に延びた羽板に固定部を固定した第２の使用状態で水平方向に延びる第１ピンに容器を回動可能に取り付ける。
【発明の効果】
【０００９】
本発明の容器保持具の一態様によれば、縦型ルーバーに取り付けた第１の使用状態において、アダプターの嵌合軸受部を嵌合せしめていない第１ピンが容器の回動を規制するストッパーとして機能し、横型ルーバーに取り付けた第２の使用状態において、アダプターの嵌合軸受部を嵌合せしめていない第２ピンが容器の回動を規制するストッパーとして機能する。このため、縦型ルーバーおよび横型ルーバーの両方に容器を取り付け可能であり、その上、未使用のピンを利用して容器の回動を規制することができ、薬剤をこぼれ難くすることができる。また、この容器保持具を用いた場合、容器の回動の自由度を“１”にでき、回動方向を１方向にコントロールできる。
【００１０】
また、本発明のクリップの一態様によれば、縦型ルーバーに取り付けた第１の使用状態において、未使用の第１ピンが容器の回動を規制するストッパーとして機能し、横型ルーバーに取り付けた第２の使用状態において、未使用の第２ピンが容器の回動を規制するストッパーとして機能する。このため、このクリップを用いて、縦型ルーバーおよび横型ルーバーの両方に容器を取り付け可能であり、その上、未使用のピンを利用して容器の回動を規制することができ、薬剤をこぼれ難くすることができる。また、このクリップを用いた場合、容器の回動の自由度を“１”にでき、回動方向を１方向にコントロールできる。
【図面の簡単な説明】
【００１１】
【図１】図１は、第１の実施形態に係る容器保持具を示す分解斜視図である。
【図２】図２は、図１の容器保持具により容器を保持した状態を示す部分断面図である。
【図３】図３は、図１の容器保持具を用いて縦型ルーバーの略垂直な羽板に容器を取り付けた状態を示す図である。
【図４】図４は、図１の容器保持具を用いて縦型ルーバーの傾斜した羽板に容器を取り付けた状態を示す図である。
【図５】図５は、第２の実施形態に係る容器保持具の要部を示す概略斜視図である。
【発明を実施するための形態】
【００１２】
以下、本発明の実施形態について図面を参照して説明する。  
図１は、第１の実施形態に係る容器保持具１００を示す分解斜視図である。図２は、この容器保持具１００を用いて容器１１０を保持した状態を示す部分断面図である。容器保持具１００は、芳香剤や消臭剤などの薬剤を収容した容器１１０を保持して、例えば、車のエアコン送風口にあるルーバーの羽板１（図３および図４参照）に取り付けるための装置である。
【００１３】
図１に示すように、容器保持具１００は、ルーバーの羽板１に固定するクリップ１０、および容器１１０を保持するアダプター２０を有する。クリップ１０およびアダプター２０は、それぞれ、例えば、樹脂による一体成形により形成されており、アダプター２０の嵌合軸受部２２（後に詳述する）にクリップ１０の十字ピン１２（後に詳述する）を嵌合せしめることで互いに回動可能に組み合わされる。
【００１４】
エアコン送風口のルーバーには、羽板１が縦方向（略鉛直方向）に延びた縦型ルーバーと羽板１が横方向（略水平方向）に延びた横型ルーバーとがある。本実施形態の容器保持具１００は、クリップ１０の十字ピン１２の第１ピン１２１或いは第２ピン１２２をアダプター２０の嵌合軸受部２２に嵌合せしめて使用するため、縦型ルーバーと横型ルーバーに兼用で取り付けできる。
【００１５】
以下の説明では、クリップ１０を縦型ルーバーの羽板１に取り付けた状態（図３、図４の状態）を第１の使用状態と称し、クリップ１０を横型ルーバーの羽板１に取り付けた状態を第２の使用状態と称する。すなわち、第１の使用状態では、十字ピン１２の第２ピン１２２をアダプター２０の嵌合軸受部２２に嵌合せしめ、第２の使用状態では、第１ピン１２１をアダプター２０の嵌合軸受部２２に嵌合せしめることになる。
【００１６】
クリップ１０は、略矩形板状の基部１１、十字ピン１２を基部１１の第１面１１ａに連結した連結軸１３、および基部１１の第２面１１ｂから離れる方向に延出した一対の挟持片１４、１５を一体に有する。クリップ１０の一端に設けた一対の挟持片１４、１５は、羽板１を挟みつけることで羽板に固定する固定部として機能する。十字ピン１２は、クリップ１０の他端に設けられている。
【００１７】
十字ピン１２は、略円柱形状の第１ピン１２１と略円柱形状の第２ピン１２２を互いに直交するようクロスさせた形状を有する。連結軸１３は、円柱形状を有し、基部１１の第１面１１ａの中心と十字ピン１２の第１ピン１２１と第２ピン１２２がクロスした中心を一体に連結している。第１ピン１２１および第２ピン１２２は、それぞれ、基部１１の第１面１１ａと平行に延びている。
【００１８】
一対の挟持片１４、１５は、略矩形板状であり、基部１１の互いに対向する２辺からそれぞれ同じ方向（十字ピン１２から離れる方向）に延出しており、基部１１の第２面１１ｂから離れるに従って互いに近付く方向に傾斜している。一対の挟持片１４、１５を設けた基部１１の２辺は、第１ピン１２１と平行な辺である。
【００１９】
一対の挟持片１４、１５が互いに対向する内面には、それぞれ、その延出方向に沿って交互に並んだ複数の山部１４ａ、１５ａおよび谷部１４ｂ、１５ｂが設けられている。一対の挟持片１４、１５の構造は、本出願人が出願した特願２０１３−１１３８０３号に開示した構造と略同じ構造であり、本発明の要旨ではないため、ここではその詳細な説明を省略する。
【００２０】
アダプター２０は、容器１１０の首部１１１（図２参照）に嵌合して容器１１０を固定する水平方向に配置した略Ｕ字形のホルダー２４、容器１１０の側面１１０ａ（図２参照）に当接して容器１１０を支える略矩形の当接板２６、およびクリップ１０の十字ピン１２を嵌合せしめる嵌合軸受部２２を備えた嵌合部２８を一体に有する。
【００２１】
ホルダー２４は、細長い板をＵ字形状に折り曲げた形状を有し、先端内側に嵌合凸部２４ａを有する。互いに対向する嵌合凸部２４ａの頂部間の距離は、容器１１０の首部１１１の外径よりわずかに小さく設計されている。このため、ホルダー２４を首部１１１に差し込んで嵌合せしめた状態で、２つの嵌合凸部２４ａが首部１１１に引っ掛かり、ホルダー２４を首部１１１に固定するよう機能する。
【００２２】
当接板２６は、ホルダー２４の下面から一体に略直角に垂設されている。当接板２６は、ホルダー２４と直交する。当接板２６の容器１１０と反対の面２６ａには、スリット２７を介して嵌合部２８が一体に連結されている。嵌合部２８は、当接板２６の上下方向の略中央からクリップ１０に向けて延出している。スリット２７は、当接板２６と嵌合軸受部２２を離間させるために設けられている。
【００２３】
スリット２７は、例えば、図２に二点鎖線で示す容器１１０の中心Ｃと略平行な状態までクリップ１０が回動したとき、第１ピン１２１の下端を逃がす空間として機能する。また、スリット２７は、クリップ１０をルーバーの羽板１に最も深く差し込んだ状態で、容器１１０とルーバーの前面との間の距離を保つための空間として機能する。
【００２４】
嵌合部２８は、クリップ１０の十字ピン１２を受け入れる凹所２９を有する。凹所２９の図示上面側は開放している。凹所２９を囲む互いに対向する２つの側壁２９ａ、２９ｂには、それぞれ、十字ピン１２の第１ピン１２１或いは第２ピン１２２を嵌合せしめる嵌合軸受部２２が設けられている。凹所２９の底壁には、十字ピン１２の第１ピン１２１或いは第２ピン１２２を逃がすための切欠き溝３０が設けられている。
【００２５】
嵌合軸受部２２のクリップ１０側は開放している。嵌合軸受部２２の開放端は、クリップ１０の十字ピン１２の第１ピン１２１または第２ピン１２２の直径よりわずかに小さい開口径を有する。このため、第１ピン１２１或いは第２ピン１２２は、嵌合軸受部２２に圧入されてラッチ留めされる。また、嵌合軸受部２２の内面は、第１ピン１２１或いは第２ピン１２２の外周面との間に所定の摩擦力を与えるため、凸凹形状に加工されている。ここで言う所定の摩擦力とは、容器１１０を保持した状態で、容器１１０の自重によってクリップ１０がアダプター２０に対して回動しない程度の摩擦力であり、利用者が所望する回動角度に調節可能なものである。
【００２６】
凹所２９の２つの側壁２９ａ、２９ｂの容器１１０側の辺をつなぐ内壁３２は、スリット２７を間に挟んで当接板２６の面２６ａと平行に配置されており、十字ピン１２の第１ピン１２１の上端或いは第２ピン１２２の上端を当接させてクリップ１０の回動（第１方向）を規制する第１当接部として機能する平らな壁である。また、切欠き溝３０の最奥の内面３０ａは、十字ピン１２の第１ピン１２１の下端或いは第２ピン１２２の下端を当接させてクリップ１０の逆方向（第２方向）の回動を規制する第２当接部として機能する。切欠き溝３０の深さは、任意に設計でき、アダプター２０の第２方向への回動可能角度を調節できる。
【００２７】
図２に示すように、容器１１０は、容器本体１１２、中蓋１１４、およびキャップ１１６を有する。  
容器本体１１２は、芳香剤や消臭剤などの液状の薬剤を収容する。容器本体１１２の小径の首部１１１には、アダプター２０のホルダー２４が着脱可能に嵌合する。容器本体１１２は、薬剤を投入するとともに揮散させるための開口１１２ａをその上端に有する。容器１１０の出荷時には、図２に示すように、開口１１２ａを密閉する中蓋１１４が設けられている。中蓋１１４は、開口１１２ａを覆うように容器本体１１２に螺合される。キャップ１１６は、容器本体１１２の嵌合凸部１１２ｂに嵌合して中蓋１１４とともに容器本体１１２の上端を覆う。
【００２８】
また、容器１１０は、薬剤に浸漬させて容器本体１１２の中心に配置される第１吸液芯１３１、第１吸液芯１３１の上部外周と接触する第２吸液芯１３２、および第２吸液芯１３２の上端に接触する揮散材１３３を有する。第１吸液芯１３１および第２吸液芯１３２は、容器１１０の出荷時において中蓋１１４の内側に配置されている。第２吸液芯１３２には、中心軸に第１吸液芯１３１を挿通させるための貫通穴が設けられ、ここに第１吸液芯１３１の上部が挿通されている。これにより、第１吸液芯１３１は第２吸液芯１３２の中心軸に固定されるとともに、第１吸液芯１３１の上部外周面から第２吸液芯に効率よく薬剤が吸上げられる。そして、第２吸液芯１３２は容器本体１１２の挟持部１１７に押し込まれて保持されている。
【００２９】
揮散材１３３は、キャップ１１６の内側に押し込まれて保持されている。つまり、揮散材１３３の周縁部を引っ掛けるための複数の爪１１６ｂがキャップ１１６の内周から突出して設けられており、揮散材１３３が複数の爪１１６ｂを乗り越えるまでキャップ１１６の内側に押し込まれている。このようにキャップ１１６の内側に収容された揮散材１３３は、キャップ１１６の天板と爪１１６ｂとの間で移動可能な状態となっている。
【００３０】
容器１１０の使用時には、キャップ１１６を容器本体１１２から取り外して中蓋１１４を取り除き、揮散材１３３を覆うように、キャップ１１６を容器本体１１２の上端に再び取り付ける。このとき、キャップ１１６の複数の爪１１６ｂによって支持されていた揮散材１３３が第２吸液芯１３２の上面に接触し、揮散材１３３が第２吸液芯１３２の上に載り、揮散材１３３が爪１１６ｂから離れる。この状態で、容器本体１１２内に収容された薬剤は、第１吸液芯１３１、第２吸液芯１３２、および揮散材１３３を通って吸い上げられ、キャップ１１６に設けた複数の揮散孔１１６ａを通して容器１１０の外部へ揮散される。
【００３１】
以下、主に図３および図４を参照して、上述した容器保持具１００の使用方法について説明する。なお、ここでは、容器保持具１００を用いて縦型ルーバーの羽板１に容器１１０を取り付けた第１の使用状態について説明するが、横型ルーバーに取り付ける第２の使用状態についても、クリップ１０とアダプター２０の取り付け角度を９０°異ならせる以外は同様である。また、縦型および横型ルーバーの車体に対する取り付け角度は、一般に、その前面が鉛直方向に沿う垂直な状態（図３の状態）からその前面が斜め上方を向く傾斜した状態（図４の状態）の間とされ、前面が略水平な状態まで傾斜したものを含むものとする。
【００３２】
縦型ルーバーの羽板１に容器１１０を取り付ける場合、クリップ１０の十字ピン１２の羽板１と直交する第２ピン１２２をアダプター２０の嵌合軸受部２２に嵌合する。そして、クリップ１０の一対の挟持片１４、１５の間に羽板１を挿入してクリップ１０を羽板１に取り付ける。この状態で、アダプター２０によって保持された容器１１０は、第２ピン１２２を中心にして、図中時計周り方向（第１方向）および反時計周り方向（第２方向）に回動可能である。
【００３３】
しかし、第２ピン１２２を中心とした方向以外には容器１１０を回動させることはできない。つまり、本実施形態の容器保持具１００は、容器１１０を自由度“１”で回動可能に保持する。具体的には、容器１１０は、その上端（開口１１２ａ）側がルーバーに近付く第１方向（矢印ＣＷ方向）およびルーバーから離れる第２方向（矢印ＣＣＷ方向）にだけ回動可能である。
【００３４】
さらに、本実施形態では、容器１１０の第１方向および第２方向への回動角度を一定の角度に規定している。つまり、回動軸として使用していない第１ピン１２１の図示上端がアダプター２０の内壁３２に当接した図３に示す状態で、容器１１０の図示時計周り方向（第１方向）への回動を禁止している。また、第１ピン１２１の図示下端がアダプター２０の切欠き溝３０の内面３０ａに当接した図４に示す状態で、容器１１０の図示反時計周り方向（第２方向）への回動を禁止している。切欠き溝３０の深さは任意に設計可能であるため、第２方向への回動可能角度は比較的大きく（例えば図２に二点鎖線で示す状態）することができるが、第１方向への回動可能角度は、略ゼロに等しい。
【００３５】
よって、例えば、図４に示すようにルーバーの前面が上方に傾斜している場合、容器１１０が第１方向（ＣＷ方向）に回動しても、第１ピン１２１の上端がアダプター２０の内壁３２に当接した時点（図３）でその回動が禁止され、容器本体１１２内の薬剤がこぼれる不具合を防止できる。また、逆に、図３に示すようにルーバーの前面が略垂直な状態である場合、容器１１０が第２方向（ＣＣＷ方向）に回動しても、第１ピン１２１の下端がアダプター２０の切欠き溝３０の内面３０ａに当接した時点（図４）でその回動が禁止され、容器本体１１２内の薬剤がこぼれる不具合を防止できる。
【００３６】
以上のように、本実施形態によると、容器１１０の回動の自由度を“１”とした上で、ルーバーに向けて傾斜する第１方向、およびルーバーから離れる第２方向への回動を規制することができ、容器本体１１２内に収容した薬剤がこぼれる不具合を防止できる。本実施形態では液状の薬剤を容器本体１１２内に収容したが、薬剤はその粘度が低いほど容器本体１１２からこぼれやすくなる。本実施形態の容器保持具１００は、粘度の低い薬剤を収容した場合であっても、薬剤がこぼれる不具合を防止することができる。
【００３７】
図５は、第２の実施形態に係る容器保持具２００の要部を示す斜視図である。図５では、ルーバーの羽板１に固定するクリップ１０の図示を省略している。  
第２の実施形態の容器保持具２００は、アダプター２０が容器１１０のキャップ１１６を一体に備え、嵌合軸受部２２がアダプター２０の図示下端側に開口している以外、上述した第１の実施形態の容器保持具１００と略同じ構造を有する。
【００３８】
すなわち、第２の実施形態の容器保持具２００は、アダプター２０とキャップ１１６を一体にしたため、部品点数を少なくでき、製造工程を簡略化でき、製造コストを低減できる。また、容器保持具２００の使用時に、アダプター２０を容器本体１１２の首部１１１に取り付ける作業が不要となり、組立工数を削減でき、利便性を向上させることができる。
【００３９】
以上、実施形態に基づいて本発明を説明したが、本発明は、上述した実施形態に限定されるものではなく、本発明の要旨の範囲内で種々の変形や応用が可能なことは勿論である。
【００４０】
例えば、上述した実施形態では、主に、縦型ルーバーの羽板１に容器保持具１００を取り付ける場合について説明したが、これに限らず、横型ルーバーに取り付ける場合にも本発明を適用できる。
【００４１】
また、上述した実施形態では、車のエアコン送風口に容器保持具１００を取り付ける場合について説明したが、これに限らず、建物の窓や家具に設けたルーバーに容器保持具１００を取り付けてもよい。
【００４２】
さらに、上述した実施形態では、容器本体１１２内に液状の薬剤を収納し、吸液芯１３１、１３２、および揮散材１３３を用いて薬剤を揮散させる場合について説明したが、これに限らず、液状ないし流動性のあるゲル状の薬剤を使用し、吸液芯１３１、１３２および揮散材１３３を用いずに容器本体１１２の開口１１２ａから薬剤を直接揮散させたり、揮散材１３３を用いずに吸液芯１３１、１３２の上端から薬剤を揮散させたりしてもよい。
【符号の説明】
【００４３】
１…羽板、  １０…クリップ、  １２…十字ピン、  １４、１５…挟持片、  ２０…アダプター、  ２２…嵌合軸受部、  ２４…ホルダー、  ２６…当接板、  ２７…スリット、  ３０…切欠き溝、  ３０ａ…内面、  ３２…内壁、  １００…容器保持具、  １１０…容器、  １１２…容器本体、  １１１…首部、  １１６…キャップ、  １２１…第１ピン、  １２２…第２ピン。
【図１】
2017137076.tif 000003
【図２】
2017137076.tif 000004
【図３】
2017137076.tif 000005
【図４】
2017137076.tif 000006
【図５】
2017137076.tif 000007